(57)【要約】      （修正有）【課題】携帯用電子機器充電用コードの整理整頓を見栄えよく、しかもパソコン等ＩＴ機器の操作上の邪魔にならないように、簡易に始末できる携帯用電子機器の充電用コード保持具を提供する。【解決手段】携帯用電子機器の充電用コード保持具１を、壁体又は備品若しくは物品への固定部材１２と、該固定部材に対して一端が係止され、他端が自由端となる伸縮自在の紐状体１３と、該紐状体の自由端に取付けられた携帯用電子機器の充電用コード用保持体１４とからなるものとする。【選択図】図１
0003132790.tif 000002
【実用新案登録請求の範囲】
【請求項１】
壁体又は備品若しくは物品への固定部材と、該固定部材に対して一端が係止され、他端が自由端となる伸縮自在の紐状体と、該紐状体の自由端に取付けられた携帯用電子機器の充電用コード用保持体と、からなることを特徴とする携帯用電子機器の充電用コード保持具。
【請求項２】
前記固定部材が固定ピン、マグネットボタン又は面ファスナーのいずれかであることを特徴とする請求項１記載の携帯用電子機器の充電用コード保持具。
【請求項３】
前記紐状体がコイルコード又はゴムひもであることを特徴とする請求項１又は２記載の携帯用電子機器の充電用コード保持具。
【請求項４】
前記携帯用電子機器の充電用コード用保持体がダブルクリップ又はゼムクリップであることを特徴とする請求項１〜３のいずれかに記載の携帯用電子機器の充電用コード保持具。
【考案の詳細な説明】
【技術分野】
【０００１】
本考案は、携帯用電子機器、例えば携帯電話の充電装置の充電に用いる充電用コードの保持具に関する。
【背景技術】
【０００２】
今日の社会生活において各種の携帯用電子機器、例えば携帯電話や携帯ミュージックプレーヤなどが幅広く利用されているが、これらの動作に必要な電力を得るため、電池を内蔵している。この電池には、例えばリチウムイオン二次電池等が用いられ、必要に応じてＡＣ充電用の電源装置等を用いて充電される。
【０００３】
この充電は、例えば、携帯電話を例に取ると、図４に示すような専用の充電用置き台１を用い、その凹陥部２に携帯電話３を設置し、凹陥部２に設けられた給電用接片が携帯電話側に設けられた受電用接片と当接するようにして行なわれることが多い。
【０００４】
この充電用置き台１には、屋内給電用のＡＣコンセントに挿入されるプラグ４によって得た交流電源（ＡＣ１００Ｖ）を所定の電圧の直流電流に変換するＡＣアダプター５と、該ＡＣアダプター５から出力される直流電流を充電用置き台１に設けられた受電用コネクター６へ送給する給電コード７が付帯している。給電コード７の一端には給電用コネクター８が設けられており、前記受電用コネクター６に差込み接続できるようになっている。
【０００５】
このタイプの充電用置き台１を用いることにより、簡易に充電操作を行うことができるが、例えば、その操作を机上で行おうとすると充電用置き台がパソコン操作の邪魔になることがあり、また、充電用置き台が机上から落下することもあり、最近では、給電用コネクター８を携帯電話の受電用コネクターに直接差し込んで充電することが行われている。しかしながら、給電コネクター８から延びる給電コード７は長さが２ｍ程度あり、かつその端部に設けられている給電コネクター８が小型で軽量であるため、充電しようとするときに給電コネクター８が見つからず、あるいは、給電コネクター８が床に落ちて汚れるなどのトラブルが起こりやすい。
【０００６】
このようなトラブルを防止するため、特許文献１には、充電器のケース内にリールを設け、このリールの軸をうず巻ばねにより駆動させ、使用時はコードを引き出し、使用後はコードをリールに巻き取ってケースに収納する充電器が開示されている。また、特許文献２には、ＡＣコード及びＤＣコードを見栄えよく、しかも、コードに無理がかかることなく確実に収納することを目的として、ＡＣコード及びＤＣコードをコード延長方向に沿って３６０°巻き付け収納する充電器構造が開示されている。さらに、特許文献３には、  給電用ケーブルの取扱いを容易にするために、給電用ケーブルをスタンドに付随する巻取り部材に巻付けるようにした無線電話用充電装置が開示されている。
【０００７】
【特許文献１】特開平１０−３１５３８号公報
【特許文献２】特開２００４−７９３２０号公報
【特許文献３】特開２０００−２６０４８４号公報
【考案の開示】
【考案が解決しようとする課題】
【０００８】
上記特許文献によって開示された手段によって、携帯用電子機器、例えば、携帯電話の充電用コードをコンパクトに収納することができるようになる。しかし、これらの手段はいずれも専用の巻取り手段を必要とし、それ自体高価であるばかりか、使用時にパソコン操作の邪魔になり、あるいは、その収納が面倒になるという問題がある。
【０００９】
本考案は、上記の携帯用電子機器の充電用コードの整理整頓を見栄えよく、しかもパソコン等ＩＴ機器の操作上の邪魔にならないように、簡易に始末できる携帯用電子機器の充電用コード保持具を提案することを目的とする。
【課題を解決するための手段】
【００１０】
本考案に係る携帯用電子機器の充電用コード保持具は、壁体又は備品若しくは物品への固定部材と、該固定部材に対して一端が係止され、他端が自由端となる伸縮自在の紐状体と、該紐状体の自由端に取付けられた携帯用電子機器の充電用コード用保持体と、からなる。
【００１１】
上記考案において、前記固定部材は、固定ピン、マグネットボタン又は面ファスナーのいずれかとすることが好ましい。また、前記紐状体がコイルコード又はゴムひもであることが好ましく、充電用コード用保持体は、ダブルクリップ又はゼムクリップとするのが好ましい。
【考案の効果】
【００１２】
本考案により、携帯用電子機器の充電用コードを見栄えよく整理整頓することができ、充電操作を迅速・快適に行うことができる。加えて、携帯用電子機器の充電用コードの保管、充電操作をパソコン等ＩＴ機器の操作上の邪魔にならないようにすることができる。
【考案を実施するための最良の形態】
【００１３】
図１は、携帯用電子機器の例として携帯電話をとり、本考案の充電コード保持具１０を適用してその内蔵電池に充電を行う場合の典型的な室内の俯瞰図である。この例では、携帯電話３に付属のＡＣアダプター５が電源に差込まれ、そこから給電コード７がたるみをもたせて延びている。一方、室内の壁面１１にはマグネットボタン１２が固定部材として取付けられており、そこからコイルコード１３がぶら下がっている。このコイルコード１３の先端には事務用のダブルクリップが充電コイル保持体として結びつけられており、その三角型の空間に給電コード７が通されている。給電コード７の先端には給電用コネクター８が取付けられている。なお、前記充電用コイル保持体１４に用いるダブルクリップは、その三角型の空間が給電コード７を自由に通すことができるが、その先端の給電コネクター８を通すことはできない程度の大きさのものである。
【００１４】
充電用コード保持具１０をこのように構成し、室内に設置することにより、充電コイル保持体（ダブルクリップ１４）によって携帯電話の給電コード７を常に室内の所定箇所に安定して保持し、かつ、給電用コネクター８を充電用コイル保持体から突出た状態で保持できることになる。
【００１５】
携帯電話３を充電するときには、上記のようにダブルクリップ１４に保持されている給電用コネクター８を引出して、これを机上に設置されている携帯電話の受電コネクターに差込めばよい。
【００１６】
本発明においては、充電用コイル保持体（ダブルクリップ１４）はコイルコード１３により伸縮自在にかつ、弾力的に支持されているので、また、ダブルクリップ１４は給電コード７を挿通可能に支持しているので、上記充電操作に当たって、充電コードに無理な引張力が掛かることも避けられ、給電用コネクター８の引き出しと携帯電話３の受電コネクターへの差込みを円滑に行うことができる。
【００１７】
携帯電話３への充電が終了したときは、携帯電話３から給電コネクター８を取外すだけでよい。給電コネクター８が取付けられているコイルコード１３は、ダブルクリップ１４に挿通されており、かつダブルクリップ１４が壁体１１に固定された固定部材１２に伸縮性の大きい紐状体に弾力的に取付けられているので、上記のように給電コネクター８を取外すだけで給電コネクター８が充電用コイル保持体であるダブルクリップ１４から突出た状態に戻ることができる。また、給電コード７も室内の所定箇所に戻り、安定して保持されるようになる。
【００１８】
このようにして、携帯電話の給電コイル７及びその先端に取付けられている給電コネクター８を常に見やすい位置に、しかも整理整頓された状態に保持できるとともに、使用時には無理なく携帯電話に接続することができる。これにより、机上に置かれたパソコンなどと干渉することなく携帯電話の充電操作を円滑に行うことができるようになる。
【００１９】
以上、本考案の基本的な実施形態を携帯電話に充電する場合を例にとって説明したが、本考案に係る携帯用電子機器の充電用コード保持具は、携帯電話のほか、広く携帯用電子機器、例えば、ミュージックプレーやゲーム機、その他携帯電子端末の内蔵電池の充電のために広く利用することができる。
【００２０】
その場合の基本的な適用形態は、上述のとおりであるが、以下に示すような種々な形態を取ることもできるまず、固定部材は、上記例では、壁体に対して磁力で吸着するマグネットボタン１２となっているが、これを図２に示すようにピン１５に置き換えてもよい。また、例えば、壁面に面ファスナーを取付けてこれに固定するようにすることもできる。
【００２１】
前記の例では、固定部材に紐状体としてコイルコード１３が取付けられているが、この部分も図２に示すように、伸縮性が大きな紐状体、例えば、ゴムひも１６に置き換えることができる。この場合、ゴムひもとしてゴム輪を利用できるほか、衣料用のゴムひもも利用可能である。
【００２２】
また、前記例では充電機用コード保持体に事務用のダブルクリップ１４を利用しているが、これも給電コード７を自由に通し、かつその先端の給電コネクターが抜け落ちないようにするという機能を奏する限り、例えばゼムクリップも利用できる。図３は、固定部材としてピン１５を、紐状体としてコイルコード１２を、充電用コード用保持体としてゼムクリップ１７を利用した例を示す。
【００２３】
なお、本考案の適用場所は、事務室のほか、家庭の居室などいずれの場所であるとを問わない。また、設置箇所も室内の壁体のほか、仕切り壁、パーティション、戸棚等の備品什器等自由に選択できる。
【図面の簡単な説明】
【００２４】
【図１】本考案を携帯電話の充電用に適用した室内の俯瞰図である。
【図２】本考案の変形組合わせ例を示す斜視図である。
【図３】本考案の他の変形組合わせ例を示す斜視図である
【図４】従来の携帯電話の充電用部材の斜視図である。
【符号の説明】
【００２５】
１：充電用置き台、２：凹陥部、３：携帯電話、４：プラグ、５：ＡＣアダプター、６：受電用コネクター、７：給電コード、８：給電用コネクター、９：携帯電話の受電用コネクター、１０：充電コード保持具、１１：壁体、１２：マグネットボタン、１３：コイルコード、１４：ダブルクリップ、１５：ピン、１６：ゴムひも、１７：ゼムクリップ
【図１】
0003132790.tif 000003
【図２】
0003132790.tif 000004
【図３】
0003132790.tif 000005
【図４】
0003132790.tif 000006